(57)【要約】【課題】  電動工具において、持ち替えや作業の邪魔になりにくい掛着用のフックを得る。【解決手段】  モータに電力を供給するための電池パック３をグリップ部２ａの下方に着脱可能とした電動工具１において、グリップ部２ａより下方かつ後方となる部分に、略Ｕ字形状のフック１０を、回動可能に取り付けた。【選択図】      図１
2006272486.tif 000002
【特許請求の範囲】
【請求項１】
取り付けた先端工具を動作させる駆動源としてのモータと、前記モータへの電力供給を制御するスイッチ部と、少なくとも前記モータおよびスイッチ部を内包するハウジングとを備え、掴持するためのグリップ部を前記ハウジングに形成するとともに、前記モータに電力を供給するための電池パックを前記グリップ部の端部に着脱可能とした電動工具において、
前記ハウジングの前記グリップ部より端部側となる部分に、略Ｕ字形状のフックの開放端部を、回動可能に取り付けたことを特徴とする電動工具。
【請求項２】
前記フックの開放端部を、前記ハウジングの前記グリップ部より端部側かつ後方となる部分に、回動可能に取り付けたことを特徴とする請求項１に記載の電動工具。
【請求項３】
前記フックを、先端工具を取り付ける側の反対側から見た背面視で電池パックの側端より内側に設けたことを特徴とする請求項１または２に記載の電動工具。
【請求項４】
前記フックを、先端工具を取り付ける側の反対側から見た背面視で電池パックの末端より内側に設けたことを特徴とする請求項１〜３のうちいずれか一つに記載の電動工具。
【請求項５】
前記フックの略Ｕ字形状が拡開するのを抑制する拡開抑制機構を設けたことを特徴とする請求項１〜４のうちいずれか一つに記載の電動工具。
【発明の詳細な説明】
【技術分野】
【０００１】
本発明は、掛着用のフックを備えた電動工具に関する。
【背景技術】
【０００２】
従来より、可搬式の電動工具において、掛着用のフックを備え、このフックを作業者の腰ベルトに差し込んだり、壁面に設置されたフック等に引っ掛けたりして、電動工具を容易に掛着できるようにしたものが知られている（例えば特許文献１）。
【０００３】
この電動工具では、ハウジングに形成したグリップ部の下部かつ後部に、回動可能な棒状のフックを取り付け、所定の角度位置でロックできるようにしている。掛着する場合、フックは、グリップ部側に立ち上げた角度位置でロックされる。
【０００４】
また、この電動工具では、右利きの作業者と左利きの作業者の双方の使い勝手を考慮し、ハウジングの右側および左側の二箇所で、ボルト・ナット締結によってフックを着脱できるようにしている。
【特許文献１】特開２００２−２５４３５８号公報
【発明の開示】
【発明が解決しようとする課題】
【０００５】
上記電動工具では、例えば、右利きの作業者が右手でグリップ部を掴持して作業する場合には、フックをハウジングの左側に装着しておけば、すぐに掛着できるようにフックを立ち上げた状態でロックしていたとしても、それほど作業の邪魔になることはない。
【０００６】
しかしながら、この種の電動工具を用いる作業では、利き手ではない方の手でグリップ部を掴持しなければ作業しづらい場合もあり、そのような場合に、フックが立ち上げた状態でロックされていると、持ち替えるときや作業をする場合に、フックが邪魔になってしまう。
【０００７】
そこで、本発明は、電動工具において、持ち替えや作業の邪魔になりにくい掛着用のフックを得ることを目的とする。
【課題を解決するための手段】
【０００８】
請求項１の発明にあっては、取り付けた先端工具を動作させる駆動源としてのモータと、上記モータへの電力供給を制御するスイッチ部と、少なくとも上記モータおよびスイッチ部を内包するハウジングとを備え、掴持するためのグリップ部を上記ハウジングに形成するとともに、上記モータに電力を供給するための電池パックを上記グリップ部の端部に着脱可能とした電動工具において、上記ハウジングの上記グリップ部より端部側となる部分に、略Ｕ字形状のフックの開放端部を、回動可能に取り付けたことを特徴とする。
【０００９】
請求項２の発明にあっては、上記フックの開放端部を、上記ハウジングの上記グリップ部より端部側かつ後方となる部分に、回動可能に取り付けたことを特徴とする。
【００１０】
請求項３の発明にあっては、上記フックを、先端工具を取り付ける側の反対側から見た背面視で電池パックの側端より内側に設けたことを特徴とする。
【００１１】
請求項４の発明にあっては、上記フックを、先端工具を取り付ける側の反対側から見た背面視で電池パックの末端より内側に設けたことを特徴とする。
【００１２】
請求項５の発明にあっては、上記フックの略Ｕ字形状が拡開するのを抑制する拡開抑制機構を設けたことを特徴とする。
【発明の効果】
【００１３】
請求項１の発明によれば、フックを略Ｕ字形状とし、当該フックの開放端部をグリップ部より端部側となる部分に取り付けたため、フックをグリップ部側まで回動させなくても、当該略Ｕ字形状によって電動工具を掛着することができる。よって、従来の棒状のフックに比べて、持ち替えや作業の邪魔になりにくくなる分、電動工具による作業効率を高めることができる。
【００１４】
請求項２の発明によれば、フックの開放端部をさらにグリップ部の後方に取り付けたため、フックがグリップ部の端部に電池パックを着脱する際の障害になるのを抑制でき、電動工具による作業効率を高めることができる。
【００１５】
請求項３の発明によれば、フックが電池パックの側端より外側にはみ出さないため、電動工具を持ち運ぶ際に、フックが壁等にぶつかったり引っ掛かったりするのを抑制することができる。また、電動工具を幅狭に形成できる分、より狭い場所での作業が可能になるという利点がある。
【００１６】
請求項４の発明によれば、フックが電池パックの末端より外側にはみ出さないため、電池パックを下にした姿勢で電動工具を静置することができる。
【００１７】
請求項５の発明によれば、略Ｕ字形状のフックの拡開が抑制される分、フックによる掛着状態が解除されにくくなる。
【発明を実施するための最良の形態】
【００１８】
以下、本発明の実施形態について図面を参照しながら詳細に説明する。
【００１９】
（第１実施形態）図１は、本実施形態にかかる電動工具の側面図、図２は、電動工具の背面図、図３は、電動工具のフックをハウジングにロックするロック機構を示す斜視図であって、ロック状態を示す図、図４は、ロック機構を示す斜視図であって、ロック解除状態を示す図、図５は、ロック機構の分解斜視図、図６は、ロック機構に含まれるスライドリングを示す図である。なお、図１および図２は、モータの回転軸が水平方向に沿う使用状態を示しており、図１において、ＦＲは前方、ＵＰは上方を示し、図２において、Ｌは左方、Ｒは右方を示すものとする。
【００２０】
本実施形態にかかる電動工具１は、取り付けた先端工具を動作させる駆動源としてのモータや、モータの回転動力を減速する減速機構、前記モータへの電力供給を制御するスイッチ部等（いずれも図示せず）を、ハウジング２に内包している。ハウジング２には、電動工具１を掴持するためのグリップ部２ａが形成されており、このグリップ部２ａの端部（下端）に、モータに電力を供給するための電池パック３が着脱自在に取り付けられる。なお、ハウジング２は、ほぼ勝手違いとなる形状の二つの分割体を結合して一体化される。
【００２１】
そして、本実施形態では、ハウジング２の、グリップ部２ａの端部かつ後方となる部分に、略Ｕ字形状のフック１０が、回動可能に設けられている。このフック１０の回転軸心（すなわちシャフト７の中心軸）は、グリップ部２ａの端部側かつ後方となる位置で、左右方向に伸びるように設定されており、フック１０は、図１中の円弧状矢印で示す方向に回動する。
【００２２】
また、本実施形態では、ハウジング２に対するフック１０の固定角度を可変設定できるよう、図３〜図５に示すロック機構が設けられている。具体的には、ハウジング２に回動可能に支持されるシャフト７の外周壁には、所定角度毎（例えば６０°毎）に、軸方向に長い短冊状の複数（６０°おきの場合６個）の外歯８が突設されている。また、シャフト７には、その軸方向（すなわち左右方向）に沿ってスライド自在に、スライドリング６が外装されており、このスライドリング６の内周壁には、外歯８の設定角度と同じ角度毎に、軸方向に長い短冊状の内歯６ａが突設され、スライドリング６がシャフト７の外歯８が形成される部分の外周に位置したときに、外歯８と内歯６ａとが相互に噛み合うようになっている。さらに、このスライドリング６には、ハウジング２に設けられた長穴状の貫通穴（図示せず）に案内されてハウジング２の表面に露出する操作子４が固定されており、該操作子４は、シャフト７の軸方向に案内される一方、シャフト７の周方向の動きが規制されている。したがって、操作子４を操作することで、スライドリング６をシャフト７に沿って動かすことができ、内歯６ａと外歯８とが噛合してフック１０がハウジング２に係止される状態（ロック状態；図３）と、内歯６ａと外歯８との噛合が解除されてフック１０がハウジング２に対して自在に回動する状態（ロック解除状態；図４）とを切り替えることができる。なお、スライドリング６は、シャフト７に外装されたスプリング９によって、内歯６ａと外歯８とが噛合する位置に向けて（図３および図４では左方に）付勢されている。また、フック１０において、シャフト７の他端側には、雄ネジ７ａが形成されており、この雄ネジ７ａがハウジング２の外壁上に露出するハンドル５の雌ネジ部５ａに締結される。
【００２３】
よって、使用者は、図３のロック状態から操作子４を右側に動かして図４のロック解除状態とし、ここで、ハンドル５またはフック１０を回動させて、フック１０の角度を所望の位置に合わせ、その後、操作子４から指を離すことで、スプリング９の付勢力によって操作子４とともにスライドリング６が左側に戻り、図３のロック状態となる。
【００２４】
ここで、本実施形態では、フック１０と電動工具１の重心との位置関係から、フック１０を用いて腰ベルトやその他の位置に電動工具１を掛着する場合には、電動工具１の姿勢が上下に逆転し、電池パック３が上方に位置する姿勢となる。よって、電動工具１が図１および図２に示す姿勢にあるときに、フック１０の略Ｕ字形状が下に凸となる姿勢（略Ｕ字形状が上方に開口する姿勢）でロックしておけば、掛着状態ではフック１０の略Ｕ字形状は上下逆転して上に凸となり、当該フック１０を用いて電動工具１を安定的に掛着できることになるが、本実施形態では、フック１０の略Ｕ字形状の開放端部の一方がグリップ部２ａの端部かつ後方にあるシャフト７に接続されているため、当該姿勢で、フック１０の大部分は、グリップ部２ａ側ではなく、電池パック３側に存在することになる。つまり、本実施形態によれば、略Ｕ字形状のフック１０をグリップ部２ａの端部側に設けたことで、当該フック１０がグリップ部２ａ側に無く、持ち替えや作業の邪魔にならない状態で、このフック１０を用いて電動工具１を掛着できることになる。なお、図１および図２に示すフック１０の固定角度が最も適切であるとは限らず、掛着する場所や、電動工具１の重心の位置等の状況に応じて、適宜、より適切にあるいは所望の姿勢に掛着できる角度に調整すればよい。
【００２５】
以上の本実施形態によれば、フック１０を略Ｕ字形状としてグリップ部２ａより端部側に取り付けたため、フック１０をグリップ部２ａ側まで回動させなくても、当該略Ｕ字形状によって電動工具１を掛着することができる。よって、従来の棒状のフックに比べて、持ち替えや作業の邪魔になりにくくなる分、電動工具１による作業効率を高めることができる。
【００２６】
また、本実施形態によれば、フック１０をさらにグリップ部２ａの後方に取り付けたため、フック１０がグリップ部２ａの下方に電池パック３を着脱する際の障害になるのを抑制でき、電動工具１による作業効率を高めることができる。
【００２７】
（第２実施形態）図７は、本実施形態にかかる電動工具の背面図である。なお、本実施形態では、上記実施形態と同様の構成要素を備えている。よって、これら同様の構成要素については同じ符号を付すとともに、重複する説明を省略する。また、図７は、モータの回転軸が水平方向に沿う使用状態を示しており、図７において、Ｌは左方、Ｒは右方を示すものとする。
【００２８】
本実施形態にかかる電動工具１Ａでは、フック１０Ａを、先端工具を取り付ける側の反対側から見た背面視（正面視）で電池パック３の側端より内側に設けている。すなわち、フック１０Ａにおいて略Ｕ字形状をなす相互に対向する二つのアームのうち、正面視で外側（本実施形態では左側）のアームの側端縁が、電池パック３やハウジング２の側端縁より内側（同右側）に位置するようにしている。かかる構成により、電動工具１Ａを持ち運ぶ際に、フック１０Ａが壁等にぶつかったり引っ掛かったりするのを抑制することができる。また、正面視で電動工具１Ａをより幅狭に形成できる分、より狭い場所での作業が可能になるという利点もある。
【００２９】
（第３実施形態）図８は、本実施形態にかかる電動工具の側面図である。なお、本実施形態では、上記実施形態と同様の構成要素を備えている。よって、これら同様の構成要素については同じ符号を付すとともに、重複する説明を省略する。また、図８は、モータの回転軸が水平方向に沿う使用状態を示しており、図８において、ＦＲは前方、ＵＰは上方を示すものとする。
【００３０】
本実施形態にかかる電動工具１Ｂでは、フック１０Ｂを、側面視または先端工具を取り付ける側の反対側から見た背面視（正面視）で電池パック３の末端より内側に設けている。すなわち、略Ｕ字形状の底部が最も下方となる姿勢でフック１０Ｂをロックした場合にも、当該底部が電池パック３の末端（下端）より外側（下側）とならないようにしている。かかる構成により、電池パック３を下にした姿勢で電動工具１Ｂを静置することができる。
【００３１】
（第４実施形態）図９は、本実施形態にかかる電動工具のフックの斜視図である。なお、本実施形態では、上記実施形態と同様の構成要素を備えている。よって、これら構成要素については同じ符号を付すとともに、重複する説明を省略する。
【００３２】
本実施形態にかかる電動工具では、フック１０をなす相互に対向する二つのアーム１０ａ，１０ｂの拡開を抑制する拡開抑制機構として、これら二つのアーム１０ａ，１０ｂに掛け渡すように環状のリング１１を外装している。かかる構成により、略Ｕ字形状のフック１０の拡開が抑制される分、フック１０による掛着状態が解除されにくくなる。なお、このリング１１は、二つのアーム１０ａ，１０ｂに沿ってスライド可能とし、掛着する対象物の形状や大きさに応じたより適切な位置に嵌めるのが好適である。
【００３３】
（第５実施形態）図１０は、本実施形態にかかる電動工具のフックの断面図であって、拡開抑制機構を機能させる前の状態を示す図、図１１は、フックの断面図であって、拡開抑制機構を機能させた状態を示す図である。なお、本実施形態では、上記実施形態と同様の構成要素を備えている。よって、これら構成要素については同じ符号を付すとともに、重複する説明を省略する。
【００３４】
本実施形態では、フック１０Ｃをなす相互に対向する二つのアーム１２，１３の拡開を抑制する拡開抑制機構として、いずれか一方のアーム（本実施形態ではアーム１３）に、他方のアーム（同アーム１２）に向けて突出する爪部１５を設ける一方、当該他方のアーム１２には、当該爪部１５を受け入れる貫通孔１４を設け、これら爪部１５と貫通孔１４とを係合させることにより、アーム１２，１３を結合させるようにしている。かかる構成により、略Ｕ字形状の拡開が抑制され、しかも、略Ｕ字形状の開口部の幅が狭まるため、フック１０Ｃによる掛着状態が解除されにくくなる。
【００３５】
なお、爪部１５の先端側は先割形状となっているため、当該先割部分の間隙を狭めて、爪部１５を貫通孔１４から抜き、元の状態（図１０）に戻すことができる。また、本実施形態では、この爪部１５および貫通孔１４を略Ｕ字形状の開放端部に設けたが、これに限定されるものではなく、掛着の対象物等に応じて適宜な位置に設けるようにすればよい。
【００３６】
（第６実施形態）図１２は、本実施形態にかかる電動工具のフックの斜視図であって、拡開抑制機構を機能させる前の状態を示す図、図１３は、フックの斜視図であって、拡開抑制機構を機能させた状態を示す図である。なお、本実施形態では、上記実施形態と同様の構成要素を備えている。よって、これら構成要素については同じ符号を付すとともに、重複する説明を省略する。
【００３７】
本実施形態では、フック１０Ｄをなす相互に対向する二つのアーム１６，１７の拡開を抑制する拡開抑制機構として、いずれか一方のアーム（本実施形態ではアーム１６）に、傾動自在な傾動部材１８を取り付ける一方、他方のアーム（同アーム１７）に当該傾動部材１８の先端部１８ｂに係合する係止部１９を設け、これら先端部１８ｂおよび係止部１９によって、アーム１６，１７を係合させるようにしている。ここでは、アーム１６に貫通孔１６ａを設ける一方、傾動部材１８を略Ｃ字形状に折り曲げた線材によって形成し、当該略Ｃ字形状の内側にアーム１７を収めつつ開放端部１８ａを貫通孔１６ａに緩挿して、この貫通孔１６ａによって開放端部１８ａを回動可能に軸支することにより、傾動部材１８が貫通孔１６ａの軸心周りに傾動するように構成している。また、このとき、図１３に示すように、傾動部材１８がアーム１７に対して斜交する姿勢で、先端部１８ｂと係止部１９とが係合するようにし、これらが係合した状態では、略Ｕ字形状のフック１０Ｄの開口幅が狭くなるようにしている。かかる構成により、略Ｕ字形状の拡開が抑制され、しかも、略Ｕ字形状の開口部の幅が狭まるため、フック１０Ｄによる掛着状態が解除されにくくなる。
【００３８】
以上、本発明の好適な実施形態について説明したが、本発明は上記実施形態に限定されるものではなく、種々の変形が可能である。例えば、上記実施形態の電動工具は、ドリルドライバの他、インパクトドライバ、オイルパルスドライバ等として実施することができる。また、上記実施形態では、フックを電動工具の左側側面に回動可能に設けた場合につき例示したが、これを右側側面に設けてもよいし、左側および右側のいずれにも取り付け可能とし、交換できるようにしてもよい。また、図１４や図１５に示すように、形状（アームの長さやアーム間の幅等）が異なる複数のフック１０Ｅ，１０Ｆを準備しておき、そのいずれかを選択してシャフト２０（７）の端部に取り付け、また状況に応じて交換できるようにしてもよい。また、フックが、側面視や斜め方向からの視点で略Ｕ字形状となるようにしてもよい。また、フックの略Ｕ字形状の内面に、抜け止め用の突起等を設けてもよい。
【図面の簡単な説明】
【００３９】
【図１】本発明の第１実施形態にかかる電動工具の側面図。
【図２】本発明の第１実施形態にかかる電動工具の背面図。
【図３】本発明の実施形態にかかる電動工具のフックをハウジングにロックするロック機構を示す斜視図であって、ロック状態を示す図。
【図４】本発明の実施形態にかかる電動工具のフックをハウジングにロックするロック機構を示す斜視図であって、ロック解除状態を示す図。
【図５】本発明の実施形態にかかる電動工具のフックをハウジングにロックするロック機構の分解斜視図。
【図６】本発明の実施形態にかかる電動工具のフックをハウジングにロックするロック機構に含まれるスライドリングを示す図。
【図７】本発明の第２実施形態にかかる電動工具の背面図。
【図８】本発明の第３実施形態にかかる電動工具の側面図。
【図９】本発明の第４実施形態にかかる電動工具のフックの斜視図。
【図１０】本発明の第５実施形態にかかる電動工具のフックの断面図であって、拡開抑制機構を機能させる前の状態を示す図。
【図１１】本発明の第５実施形態にかかる電動工具のフックの断面図であって、拡開抑制機構を機能させた状態を示す図。
【図１２】本発明の第６実施形態にかかる電動工具のフックの斜視図であって、拡開抑制機構を機能させる前の状態を示す図。
【図１３】本発明の第６実施形態にかかる電動工具のフックの斜視図であって、拡開抑制機構を機能させた状態を示す図。
【図１４】本発明の別の実施形態にかかる電動工具のフックの斜視図。
【図１５】本発明のさらに別の実施形態にかかる電動工具のフックの斜視図。
【符号の説明】
【００４０】
１，１Ａ，１Ｂ  電動工具
２  ハウジング
２ａ  グリップ部
３  電池パック
１０，１０Ａ，１０Ｂ，１０Ｃ，１０Ｄ，１０Ｅ，１０Ｆ  フック
１１  リング（拡開抑制機構）
１４  貫通孔（拡開抑制機構）
１５  爪部（拡開抑制機構）
１８ｂ  先端部（拡開抑制機構）
１９  係止部（拡開抑制機構）
【図１】
2006272486.tif 000003
【図２】
2006272486.tif 000004
【図３】
2006272486.tif 000005
【図４】
2006272486.tif 000006
【図５】
2006272486.tif 000007
【図６】
2006272486.tif 000008
【図７】
2006272486.tif 000009
【図８】
2006272486.tif 000010
【図９】
2006272486.tif 000011
【図１０】
2006272486.tif 000012
【図１１】
2006272486.tif 000013
【図１２】
2006272486.tif 000014
【図１３】
2006272486.tif 000015
【図１４】
2006272486.tif 000016
【図１５】
2006272486.tif 000017